(57)【要約】 【課題】  親機及び子機の時刻を自動的に標準時刻に合わせることが可能なコードレス電話機を提供する。【解決手段】  コードレス電話機は、親機と、１台又は複数の子機とを含む複数の端末装置を備える。複数の端末装置のうち、１つの端末装置は、ネットワークを介して通信可能に構成されている。当該１つの端末装置は、ネットワーク時間取得部を備え、インターネットをはじめとするネットワーク上でＮＴＰサーバ等からネットワーク時間を取得する。取得したネットワーク時間に含まれる標準時刻データに基づいて、表示部に標準時刻が表示される。また、この端末装置は、受信したネットワーク時間に含まれる標準時刻データを他の全ての端末装置へ送信する。他の端末装置は、ネットワーク時間取得部を備える１つの端末装置から標準時刻データを受信し、それに基づいて表示部に標準時刻を表示する。【選択図】      図４
2005311753.tif 000002
【特許請求の範囲】
【請求項１】
親機および子機を含む複数の端末装置を備えるコードレス電話機であって、前記複数の端末装置のうちの１つの端末装置は、ネットワークを介する通信が可能であり、
前記ネットワークを介して、標準時刻データを含むネットワーク時間を取得するネットワーク時間取得部と、
前記標準時刻データに基づいて標準時刻を表示する表示部と、
他の全ての端末装置へ前記標準時刻データを送信する送信部と、を備え、
前記他の端末装置の各々は、
前記１つの端末装置から前記標準時刻データを受信する受信部と、
前記標準時刻を表示する表示部と、を備えることを特徴とするコードレス電話機。
【請求項２】
前記１つの端末装置は前記親機であることを特徴とする請求項１に記載のコードレス電話機。
【請求項３】
前記ネットワーク時間取得部は所定時間間隔で前記ネットワーク時間を取得し、
前記送信部は、前記ネットワーク時間取得部が前記ネットワーク時間を取得するたびに、前記標準時刻データを他の端末装置へ送信することを特徴とする請求項１又は２のいずれか一項に記載のコードレス電話機。
【発明の詳細な説明】
【技術分野】
【０００１】
本発明は、親機と子機を備えるコードレス電話機に関する。
【背景技術】
【０００２】
親機と子機を備えるコードレス電話機が知られている。一般的に、コードレス電話機では親機、子機ともに液晶表示部を備え、時計表示を行っている。しかし、電話機の時計機能は、使用を継続するとわずかではあるが誤差が生じていき、１年も使用すると表示時刻と現在時刻とのずれが生じる。このため、ユーザは定期的に親機及び子機の全ての時刻を合わせる操作が必要となり、これは不便である。
【０００３】
また、長時間の停電などが発生すると、親機の時計処理ができなくなり、現在時刻が消えてしまう。この場合も、ユーザは時刻を合わせる操作が必要となる。
【０００４】
このような不具合を防止するために、基地局にアクセスしたとき、あるいは、基地局からの情報を受信したときに、日付時刻情報を基地局から受信し、当該日付時刻情報を自動的に内部時計に設定する携帯電話が特許文献１に記載されている。また、インターネット上のサーバから時刻情報を受信し、当該時刻情報に基づいて内部時計の時刻補正を行う携帯電話が特許文献２に記載されている。
【０００５】
しかし、これらの文献は、単独で使用する携帯電話について記載されているのみであり、親機と子機から構成されるコードレス電話機については何ら記載されていない。そのため、コードレス電話機の親機と子機の双方において、常に正しい時刻で時計表示を行うことは非常に困難である。
【０００６】
【特許文献１】特開２００３−８７８５９号公報
【特許文献２】特開２００３−３１５４７８号公報
【発明の開示】
【発明が解決しようとする課題】
【０００７】
本発明が解決しようとする課題には上記のようなものが例として挙げられる。本発明は、親機及び子機の時刻を自動的に標準時刻に合わせることが可能なコードレス電話機を提供することを課題とする。
【課題を解決するための手段】
【０００８】
請求項１に記載の発明は、親機および子機を含む複数の端末装置を備えるコードレス電話機であって、前記複数の端末装置のうちの１つの端末装置は、ネットワークを介する通信が可能であり、前記ネットワークを介して、標準時刻データを含むネットワーク時間を取得するネットワーク時間取得部と、前記標準時刻データに基づいて標準時刻を表示する表示部と、他の全ての端末装置へ前記標準時刻データを送信する送信部と、を備え、前記他の端末装置の各々は、前記１つの端末装置から前記標準時刻データを受信する受信部と、前記標準時刻を表示する表示部と、を備えることを特徴とする。
【発明を実施するための最良の形態】
【０００９】
本発明の１つの好適な実施形態では、親機および子機を含む複数の端末装置を備えるコードレス電話機であって、前記複数の端末装置のうちの１つの端末装置は、ネットワークを介する通信が可能であり、前記ネットワークを介して、標準時刻データを含むネットワーク時間を取得するネットワーク時間取得部と、前記標準時刻データに基づいて標準時刻を表示する表示部と、他の全ての端末装置へ前記標準時刻データを送信する送信部と、を備え、前記他の端末装置の各々は、前記１つの端末装置から前記標準時刻データを受信する受信部と、前記標準時刻を表示する表示部と、を備える。
【００１０】
上記のコードレス電話機は、親機と、１台又は複数の子機とを含む複数の端末装置を備える。複数の端末装置のうち、１つの端末装置は、ネットワークを介して通信可能に構成されている。ここで、ネットワークの最も好適な例は、インターネットである。当該１つの端末装置は、ネットワーク時間取得部を備え、ネットワークを介してＮＴＰ（Network Time Protocol）サーバ等から定期的にネットワーク時間を取得する。取得したネットワーク時間に含まれる標準時刻データに基づいて、表示部に標準時刻が表示される。この表示部は、常に時刻を表示する時計表示部とすることができる。この端末装置は、取得したネットワーク時間に含まれる標準時刻データを他の全ての端末装置へ送信する。他の端末装置は、ネットワーク時間取得部を備える１つの端末装置から標準時刻データを受信し、標準時刻を表示する。この表示部も、常に時刻を表示する時計表示部とすることができる。これにより、複数の端末装置は、ネットワーク時間により自動的に標準時刻に設定又は補正される。よって、利用者が複数の端末装置の時刻調整を行う必要がなくなる。
【００１１】
好適な１つの実施例では、ネットワーク時間取得部を備える前記１つの端末装置を親機とすることができる。一般的に、親機は子機に比べて各種の機能を搭載可能に構成されているので、親機にネットワーク時間取得部を設けることにより設計を単純化し、低コスト化を図ることが可能となる。
【００１２】
上記のコードレス電話機の一態様では、前記ネットワーク時間取得部は所定時間間隔で前記ネットワーク時間を取得し、前記送信部は、前記ネットワーク時間取得部が前記ネットワーク時間を取得するたびに、前記標準時刻データを他の端末装置へ送信する。これにより、１つの端末装置がネットワーク時間取得部により標準時刻データを含むネットワーク時間を取得するたびに、全ての端末装置の時計部を定期的に、かつ、自動的に補正することが可能となる。
【実施例】
【００１３】
以下、本発明の好適な実施例を図面に基づいて説明する。
【００１４】
［基本構成］
図１に、本発明の実施例に係るコードレス電話機の全体構成を示す。図示のように、コードレス電話機１００は、１つの親機１１０ａと、１つ又は複数の子機１１０ｂとを備える。親機１１０ａは外部の電話回線網１０３と接続されている。また、親機１１０ａは、子機１１０ｂと無線通信を行うことにより、必要な電話帳データや各種の設定データなどを授受する。さらに、親機１１０ａと子機１１０ｂとの通信により、ユーザは子機１１０ｂを利用して外部と通話することができる。なお、以下の説明においては、親機と子機とを区別する必要がない場合に、各々を「端末装置」とも呼ぶ。
【００１５】
まず、親機１１０ａの構成について説明する。図２は、コードレス電話機１００の親機１１０ａの概略構成を示すブロック図である。
【００１６】
図２において、親機１１０ａは、検波回路１と、回線制御回路２と、通話回路３と、ＤＳＰ（Digital Signal Processor）４と、無線送受信回路５と、アンテナ６と、ＣＰＵ７と、キースイッチ８と、ＣＰＵ７に接続されたドライバ９と、ドライバ９によって駆動される液晶パネルや有機ＥＬなどのディスプレイ１０とを備えている。
【００１７】
検波回路１は、外線接続端子Ｌ１、Ｌ２に入力される外線着信信号および受信信号を検波する。回線制御回路２は電話機と外線との回線接続を制御し、通話回路３は回線制御回路２を介して入力されてくる受信信号の後述する他の回路への送出や外線への送話信号の送出を行う。ＤＳＰ４は、通話回路３を介して入力されてくる受信信号や外線に送出する送話信号の音声処理を行うとともに、ＣＰＵ７に対してモデムとして機能する。無線送受信回路５は、子機との間でＭＣＡ（マルチ・チャンネル・アクセス）方式による無線通話回路を形成する。アンテナ６は、子機との間で無線の送受信を行うために使用される。
【００１８】
ＣＰＵ７は、回線制御回路２、通話回路３、ＤＳＰ４、及び無線送受信回路５に接続され、各回路の作動制御を行う。また、ＣＰＵ７にはメモリなどにより構成される記憶部１１５ａが接続されており、このメモリ１１５ａは後述するように電話帳データなどを記憶する。
【００１９】
また、親機１１０ａは、外線接続端子Ｌ１、Ｌ２から入力されてくる外線着信信号を検出するリング回路１１、リング回路１１による外線着信信号の検出によって呼出音を鳴らすモニタスピーカ１２、オンフックモード時にハンズフリーによる通話を行うためのマイク１３、及び、子機を置いたままで通話するためのオンフックモードへの切り換えを行うオンフックスイッチ１４をさらに備える。
【００２０】
次に、子機１１０ｂの構成について説明する。図３は、コードレス電話機１００の子機１１０ｂの概略構成を示すブロック図である。
【００２１】
図３において、子機１１０ｂは、アンテナ２１と、無線送受信回路２２と、ＤＳＰ２３と、ＣＰＵ２４と、ＣＰＵ２４に接続されて電話番号等のデータ入力や電話機操作を行うキースイッチ２５と、ＣＰＵ２４に接続されたドライバ２６と、ドライバ２６によって駆動される液晶パネルや有機ＥＬなどのディスプレイパネル２７とを備えている。また、子機１１０ｂはさらに、マイク２８、レシーバ２９を備える。
【００２２】
アンテナ２１は、親機１１０ａとの間で無線の送受信を行うために使用される。無線送受信回路２２は、アンテナ２１を介して親機１１０ａとの間でＭＣＡ方式による無線通話回路を形成する。ＤＳＰ２３は、無線送受信回路２２を介して入力されてくる受信信号や外線に送出する送話信号の音声処理を行うとともに、ＣＰＵ２４に対してモデムとして機能する。ＣＰＵ２４は、ＤＳＰ２３および無線送受信回路２２に接続され、各回路の作動制御を行う。ＣＰＵ２４には、記憶部としてのメモリ１１５ｂが接続されており、メモリ１１５ｂは電話帳データなどを記憶する。
【００２３】
［機能ブロック］
図４は、コードレス電話機の概略構成を示す機能ブロック図である。図示のように、コードレス電話機は、親機１１０ａと子機１１０ｂがそれぞれのアンテナ部６、２１を介して通信可能とされている。
【００２４】
親機１１０ａは、主制御部１１１ａと、表示部１１２ａと、操作部１１３ａと、時計部１１８ａと、ネットワーク時間取得部１１９と、インターネット接続部１２０とを備える。主制御部１１１ａは、親機１１０ａを利用した通話処理に加えて、親機１１０ａから子機１１０ｂへ、または逆に子機１１０ｂから親機１１０ａへのデータの送受信処理全体にわたる必要な制御を行う。
【００２５】
表示部１１２ａは例えば液晶パネルなどにより構成され、電話番号など、電話に関する必要な情報の表示に使用される。また、表示部１１２ａには現在時刻が常に表示される。
【００２６】
操作部１１３ａは、ユーザが操作する操作ボタンなどにより構成される。無線部１１４ａは子機との間で必要なデータを無線通信する。
【００２７】
時計部１１８ａは、例えば水晶発振器などを備え、そのパルスを計数することにより現在時刻を算出する。時計部１１８ａが算出した時刻が表示部１１２ａに表示される。
【００２８】
ネットワーク時間取得部１１９は、ネットワーク接続部１２０を介して、ネットワーク時間を取得する。ここで、ネットワークの最も好適な例はインターネットである。ネットワーク時間とは、インターネットをはじめとするネットワーク上で取得可能な標準時刻を示すデータ（以下、「標準時刻データ」と呼ぶ。）を含んでいる。具体的に、ネットワーク時間としては、ＧＰＳ（Global Positioning System）やセシウム原子時計と同期を取っている日本標準時や、ＵＮＩＸ（登録商標）時間などが挙げられる。ネットワーク時間の取得方法としては、政府機関が日本標準時を提供しているＵＲＬを通して取得する方法、ＮＴＰサーバにアクセスして直接取得する方法などが考えられる。
【００２９】
ネットワーク接続部１２０は、ＬＡＮインタフェースやモデムによりインターネットをはじめとするネットワークに接続している。具体的に、親機１１０ａがインターネットと常時接続の場合、ネットワーク接続部１２０はＬＡＮインタフェースを有する。一方、親機１１０ｂがインターネットとダイアルアップ接続の場合、ネットワーク接続部１２０はモデムを有する。
【００３０】
ネットワーク接続部１２０が常時接続の場合、ネットワーク時間取得部１１９は、主制御部１１１ａの制御下で、予め設定されたスケジュールに従って所定時間間隔で定期的にネットワーク時間を取得する。スケジュールは、具体的に「１日に１回」、「８時間に１回」など任意に設定することが可能である。一方、ネットワーク接続部１２０がダイアルアップ接続の場合、ネットワーク時間取得部１１９は、主制御部１１１ａの制御下で、ユーザが電話をかけたときや電話がかかってきたとき等、ネットワークに接続している際にネットワーク時間を取得する。主制御部１１１ａは、そうして取得したネットワーク時間に含まれる標準時刻データに基づいて時計部１１８ａの時刻を調整する。
【００３１】
一方、子機１１０ｂは、主制御部１１１ｂと、表示部１１２ｂと、操作部１１３ｂと、無線部１１４ｂと、を備え、各部の働きは親機１１０ａのものと同様である。
【００３２】
なお、以下の説明において、親機又は子機の構成要素であって、いずれかを区別する必要が無い場合には、添え字を省略して表記する。例えば、「主制御部１１１ａ」と言った場合は親機の主制御部を指し、単に「主制御部１１１」と言った場合は親機又は子機のいずれかの主制御部を指すものとする。
【００３３】
次に、ネットワーク時間を利用した時刻の設定処理について説明する。本実施例では、親機１１０ａに搭載されたネットワーク時間取得部１１９が所定時間間隔で定期的にネットワーク時間を取得し、当該ネットワーク時間に含まれる標準時刻データに基づいて親機１１０ａ自身の時計部１１８ａの時刻を標準時刻に設定する。また、親機１１０ａは、そのネットワーク時間に含まれる標準時刻データを無線部１１４及びアンテナ６、２１を利用して各子機１１０ｂに送信し、子機の時計部１１８ｂの時刻を標準時刻に修正する。これにより、コードレス電話機１００を構成する全ての端末装置、即ち親機及び子機の時計が定期的に標準時刻に修正される。よって、ユーザが何らの作業を行う必要なく、全ての端末装置は標準時刻に維持される。もちろん、親機と子機の時刻のずれも防止される。
【００３４】
図５に本実施例による時刻設定処理のフローチャートを示す。図５（ａ）が親機側の処理のフローチャートであり、図５（ｂ）が子機側の処理のフローチャートである。なお、図５（ａ）に示すフローチャートでは、ネットワーク接続部１２０が常時接続である場合について説明するものとする。また、これらの処理は、それぞれ親機１１０ａ及び子機１１０ｂの主制御部１１１ａ及び１１１ｂが、予め用意されたプログラムを実行することにより実現することができるものとする。
【００３５】
まず、親機側の処理について説明する。主制御部１１１ａは、ネットワーク接続部１２０によりネットワークに接続中であるか否かを判定する（ステップＳ１）。ネットワークに接続中である場合、図５（ａ）に示す処理は、予め設定されたスケジュールに従って所定時間間隔で定期的に実行される。スケジュールに従って時刻設定処理を行うべき時間になると（ステップＳ２；Yes）、主制御部１１１ａは、ネットワーク時間取得部１１９を制御してネットワーク時間を取得させる（ステップＳ３）。そして、ネットワーク時間の取得が完了すると（ステップＳ４；Yes）、当該ネットワーク時間に含まれる標準時刻データに基づいて親機１１０ａ内の時計部１１８ａに標準時刻を設定する（ステップＳ５）。
【００３６】
次に、主制御部１１１ａは、１台の子機１１０ｂを送信先端末装置に決定し（ステップＳ６）、その送信先端末装置へ標準時刻データを送信する（ステップＳ７）。そして、全ての送信先端末装置、即ち全ての子機１１０ｂに対して標準時刻データを送信したか否かを判定する（ステップＳ８）。こうして、全ての送信先端末装置へ標準時刻データを送信すると（ステップＳ８；Yes）、親機側の処理は終了する。
【００３７】
次に、図５（ｂ）を参照して、子機側の処理を説明する。なお、子機側の処理は、主制御部１１１ｂは、前述のステップＳ７にて親機から送信された標準時刻データを受信したときに実行する。具体的には、主制御部１１１ｂは親機１１０ａから標準時刻データを受信したときに（ステップＳ１１）、当該標準時刻データに基づいて標準時刻を時計部１１８ｂに設定する（ステップＳ１２）。こうして、各子機１１０ｂの時刻も全て標準時刻に調整される。
【００３８】
以上のように、本実施例によれば、ネットワーク時間により、例えばＧＰＳやセシウム原子時計と同期を取っている正確な時刻を表示する端末装置を家庭内に複数所有することができる。さらに、停電などにより電話機が動作しなくなった場合でも、復旧後にはネットワーク時間を取得することにより自動的に正確な時刻表示を行うことができる。
【００３９】
また、現在、インターネット接続機能を備えたコードレス電話機も登場しており、このようなコードレス電話機では新たな部品追加は必要ないため、部品コストを発生させずに本発明の機能を搭載することが可能である。
【００４０】
なお、上記の実施例において、ネットワーク時間取得部１１９を親機側に設けたが、本発明はこれに限定されるものではなく、ネットワーク時間取得部１１９を子機側に設けることとしてもよい。
【図面の簡単な説明】
【００４１】
【図１】本発明の実施例に係るコードレス電話機の全体構成を模式的に示す。
【図２】親機の概略構成を示すブロック図である。
【図３】子機の概略構成を示すブロック図である。
【図４】コードレス電話機の構成要素を示すブロック図である。
【図５】時刻設定処理のフローチャートである。
【符号の説明】
【００４２】
６、２１  アンテナ  １００  コードレス電話機
１１０ａ  親機
１１０ｂ  子機
１１１ａ、１１１ｂ  主制御部
１１２ａ、１１２ｂ  表示部
１１３ａ、１１３ｂ  操作部
１１４ａ、１１４ｂ  無線部
１１８ａ、１１８ｂ  時計部
１１９  ネットワーク時間取得部
１２０  ネットワーク接続部
【図１】
2005311753.tif 000003
【図２】
2005311753.tif 000004
【図３】
2005311753.tif 000005
【図４】
2005311753.tif 000006
【図５】
2005311753.tif 000007